【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  植物の体細胞性植物組織の退化をもたらす方法であり、植物の必須因子に結合しうる異種由来タンパク質を体細胞性植物組織細胞中に発現させる工程を含み、前記異種由来タンパク質を発現させる前記工程が、前記必須因子の欠乏を生じさせて、植物体の生存を維持しつつ、同時に、体細胞性植物組織の退化をもたらす態様で実施される方法。
【請求項２】  前記態様が、
（ｉ）前記異種由来タンパク質の発現量、
（ｉｉ）前記植物組織内における前記異種由来タンパク質の分布、
（ｉｉｉ）前記植物必須因子に対する前記異種由来タンパク質の結合活性、
（ｉｖ）前記細胞における前記植物必須因子の存在量および分布、および、
（ｖ）体細胞性植物組織に外部から供給される前記因子の量
からなるグループより選択される少なくとも一つの基準にしたがって選択される、請求項１に記載の方法。
【請求項３】  請求項１に記載の方法であり、さらに前記植物必須因子の前記欠乏を復帰させることができ、それによって退化した体細胞性植物組織を再生させることができる中和因子を前記退化した体細胞性植物組織細胞中に導入する工程を含む方法。
【請求項４】  前記植物必須因子がビオチンである、請求項１に記載の方法。
【請求項５】  前記植物必須因子が、鉄イオン、チアミン、カルシウムイオン、および亜鉛イオンからなるグループより選択される、請求項１に記載の方法。
【請求項６】  前記異種由来タンパク質がビオチン結合タンパク質である、請求項１に記載の方法。
【請求項７】  前記異種由来タンパク質が、アビジン、ストレプトアビジン、ならびにビオチンに結合する誘導体およびそれらの修飾体からなるグループより選択される、請求項６に記載の遺伝子組換え植物。
【請求項８】  前記異種由来タンパク質が、鉄結合タンパク質、亜鉛結合タンパク質、カルシウム結合タンパク質、およびチアミン結合タンパク質からなるグループより選択される、請求項１に記載の方法。
【請求項９】  細胞質内に存在する前記必須因子の前記欠乏を生じさせて、前記植物体の生存を維持しつつ、同時に、体細胞性植物組織の前記退化が生じるよう、前記異種由来タンパク質を該体細胞性植物組織の前記細胞の前記細胞質内に発現させる、請求項１に記載の方法。
【請求項１０】  ＤＮＡ含有オルガネラ内に存在する前記必須因子の前記欠乏を生じさせて、前記植物体の生存を維持しつつ、同時に、該体細胞性植物組織の前記退化がもたらされるように、前記異種由来タンパク質を該体細胞性植物組織の前記細胞のＤＮＡ含有オルガネラ内に発現させる、請求項１に記載の方法。
【請求項１１】  前記異種由来タンパク質が、ＤＮＡ含有オルガネラ中に自己を向かわせることのできるリーダーペプチドを含み、前記異種由来タンパク質が該体細胞性植物組織の前記細胞の細胞質中で発現すると、前記リーダーペプチドが、前記異種由来タンパク質を前記ＤＮＡ含有オルガネラ中に向かわせることにより、前記ＤＮＡ含有オルガネラ内に存在する前記必須因子の前記欠乏を生じさせ、その結果、前記植物体の生存を維持しつつ、同時に、該体細胞性植物組織に前記退化をもたらす請求項１に記載の方法。
【請求項１２】  前記異種由来タンパク質が、前記異種由来タンパク質を小胞体中に向かわせることのできるシグナルペプチドを含む、請求項１に記載の方法。
【請求項１３】  体細胞性植物組織の前記退化が、植物の形態を調節するために生じさせられる、請求項１に記載の方法。
【請求項１４】  体細胞性植物組織の前記退化が、植物の発生を調節するために生じさせられる、請求項１に記載の方法。
【請求項１５】  前記退化した体細胞性植物組織の前記細胞中に中和因子を導入する工程が、アンチセンスＲＮＡおよびリボザイムからなるグループより選択される中和因子を該体細胞性植物組織の前記細胞内に選択的に発現させることを含み、それによって前記異種由来タンパク質の少なくとも一部の発現を阻害して、前記植物必須因子の前記欠乏を少なくとも部分的に復帰させ、その結果、前記退化した体細胞性組織の前記再生を生じさせる、請求項３に記載の方法。
【請求項１６】  前記植物必須因子の前記欠乏を少なくとも部分的に復帰させ、前記退化した体細胞性植物組織を再生させるために、前記退化した体細胞性植物組織の前記細胞中に中和因子を導入する前記工程が、前記異種由来タンパク質の前記植物必須因子への結合を阻害または遮断することのできる拮抗タンパク質を該体細胞性植物組織の前記細胞中に選択的に発現させることを含む、請求項３に記載の方法。
【請求項１７】  前記中和因子が前記植物必須因子であり、前記退化した体細胞性植物組織の前記細胞中に前記中和因子を導入する前記工程が、前記植物必須因子を、前記退化した体細胞性植物組織の少なくとも一部に外部から適用し、それによって、前記退化した体細胞性組織の少なくとも一部の再生をもたらすことを含む、請求項３に記載の方法。
【請求項１８】  植物必須因子に結合することのできる異種由来タンパク質を発現する遺伝子組換え植物であり、前記異種由来タンパク質の発現が、前記必須因子の欠乏を生じさせて、その結果、植物体の生存を維持しつつ、同時に、遺伝子組換え植物の体細胞性植物組織の退化をもたらす態様で行なわれる遺伝子組換え植物。
【請求項１９】  前記態様が、
（ｉ）前記異種由来タンパク質の発現量、
（ｉｉ）前記植物組織内における前記異種由来タンパク質の分布、
（ｉｉｉ）前記必須因子に対する前記異種由来タンパク質の結合活性、
（ｉｖ）前記細胞における前記必須因子の存在量および分布、および、
（ｖ）体細胞性植物組織に外部から供給される前記因子の量
からなるグループより選択される少なくとも一つの基準にしたがって選択される、請求項１８に記載の遺伝子組換え植物。
【請求項２０】  前記植物必須因子がビオチンである、請求項１８に記載の遺伝子組換え植物。
【請求項２１】  前記異種由来タンパク質がビオチン結合タンパク質である、請求項１８に記載の遺伝子組換え植物。
【請求項２２】  前記異種由来タンパク質が、アビジン、ストレプトアビジン、ならびにビオチンに結合する誘導体およびそれらの修飾体からなるグループより選択される、請求項１８に記載の遺伝子組換え植物。
【請求項２３】  前記異種由来タンパク質が、鉄結合タンパク質、亜鉛結合タンパク質、カルシウム結合タンパク質、およびチアミン結合タンパク質からなるグループより選択される、請求項１８に記載の遺伝子組換え植物。
【請求項２４】  細胞質内に存在する前記必須因子の前記欠乏を生じさせて、植物体の生存を維持しつつ、同時に、前記体細胞の前記退化が生じるよう、遺伝子組換え植物の体細胞の細胞質内で前記異種由来タンパク質を発現させる、請求項１８に記載の遺伝子組換え植物。
【請求項２５】  ＤＮＡ含有オルガネラ内に存在する前記必須因子の前記欠乏を生じさせて、前記植物体の生存を維持しつつ、同時に、前記体細胞の前記退化が生じるよう、遺伝子組換え植物の体細胞におけるＤＮＡ含有オルガネラ内に前記異種由来タンパク質を発現させる、請求項１８に記載の遺伝子組換え植物。
【請求項２６】  ＤＮＡ含有オルガネラ内に存在する前記必須因子の前記欠乏を生じさせて、前記植物体の生存を維持しつつ、同時に、前記体細胞の前記退化を生じさせるよう、前記異種由来タンパク質を、遺伝子組換え植物の体細胞の細胞質内で発現させた後、前記体細胞のＤＮＡ含有オルガネラ中へ向かわせる、請求項１８に記載の遺伝子組換え植物。
【請求項２７】  前記異種由来タンパク質が、前記異種由来タンパク質を小胞体中に向かわせることのできるシグナルペプチドを含む、請求項１８に記載の遺伝子組換え植物。
【請求項２８】  植物プロモーターの転写調節下にある第一のポリヌクレオチド分節を含む発現カセットによって形質転換される体細胞性植物細胞を含む遺伝子組換え植物であり、前記第一のポリヌクレオチド分節は、十分な量の植物必須因子に結合し、それにより、植物体の生存を維持しつつ、同時に、体細胞性植物組織の退化を生じさせる異種由来タンパク質をコードする遺伝子組換え植物。
【請求項２９】  前記植物必須因子がビオチンである、請求項２８に記載の遺伝子組換え植物。
【請求項３０】  前記植物必須因子が、鉄イオン、チアミン、カルシウムイオン、および亜鉛イオンからなるグループより選択される、請求項２８に記載の遺伝子組換え植物。
【請求項３１】  前記プロモーターが、植物由来のプロモーター、および植物ウイルス由来のプロモーターである、請求項２８に記載の遺伝子組換え植物。
【請求項３２】  前記植物プロモーターが、構成的プロモーター、組織特異的プロモーター、発生によって調節を受けるプロモーター、および誘導可能プロモーターからなるグループより選択される、請求項２８に記載の遺伝子組換え植物。
【請求項３３】  前記異種由来タンパク質が、アビジン、ストレプトアビジン、ならびにビオチンに結合する誘導体およびそれらの修飾体からなるグループより選択される、請求項２８に記載の遺伝子組換え植物。
【請求項３４】  前記異種由来タンパク質が、鉄結合タンパク質、亜鉛結合タンパク質、カルシウム結合タンパク質、およびチアミン結合タンパク質からなるグループより選択される、請求項２８に記載の遺伝子組換え植物。
【請求項３５】  前記発現カセットが前記体細胞性植物細胞中のＤＮＡ含有オルガネラのゲノムを形質転換させて、前記異種由来タンパク質を前記ＤＮＡ含有オルガネラ中に発現させることにより、前記ＤＮＡ含有オルガネラ中に存在する前記必須因子の前記欠乏を生じさせ、その結果、前記体細胞性植物組織の前記退化を生じさせる、請求項２８に記載の遺伝子組換え植物。
【請求項３６】  前記発現カセットが、さらに、自己をＤＮＡ含有オルガネラ中に向かわせることのできるリーダーペプチドをコードする第二のポリヌクレオチド分節を含み、前記第二のポリヌクレオチド分節が前記第一のポリヌクレオチド分節と同一枠内にあって、前記発現カセットが前記体細胞性植物細胞の細胞質内で発現すると、前記リーダーペプチドが、前記異種由来タンパク質を前記ＤＮＡ含有オルガネラの中に向かわせ、それによって前記ＤＮＡ含有オルガネラ内に存在する前記必須因子の前記欠乏を生じさせ、その結果、前記体細胞性植物組織の前記退化を生じさせる、請求項２８に記載の遺伝子組換え植物。
【請求項３７】  前記異種由来タンパク質が、前記異種由来タンパク質を小胞体中に向かわせることのできるシグナルペプチドを含む、請求項２８に記載の遺伝子組換え植物。
【請求項３８】  前記異種由来タンパク質を前記体細胞性植物細胞の細胞質内に発現させることにより、前記細胞質内に存在する前記必須因子の前記欠乏を生じさせ、その結果、前記体細胞性植物組織の前記退化がもたらされる、請求項２８に記載の遺伝子組換え植物。
【請求項３９】  植物の形態を選択的に調節する方法であり、該方法が、
（ａ）植物必須因子に結合することのできる異種由来タンパク質を植物の体細胞内に発現させる工程において、前記異種由来タンパク質を発現させる前記工程が、前記必須因子の欠乏を生じさせ、その結果、植物体の生存を維持しつつ、同時に、前記体細胞の退化をもたらすという態様で行われる工程、および、
（ｂ）退化した植物体細胞の選択された部位中に中和因子を導入する工程において、前記中和因子が、少なくとも部分的に前記植物必須因子の前記欠乏を復帰させることができ、それによって、前記退化した体細胞の前記選択された部位を再生させて、植物の形態を選択的に調節する工程を含む方法。
【請求項４０】  前記態様が、
（ｉ）前記異種由来タンパク質の発現量、
（ｉｉ）前記植物組織内における前記異種由来タンパク質の分布、
（ｉｉｉ）前記必須因子に対する前記異種由来タンパク質の結合活性、
（ｉｖ）前記細胞における前記必須因子の存在量および分布、および、
（ｖ）前記体細胞性植物組織に外部から供給される前記因子の量
からなるグループより選択される少なくとも一つの基準にしたがって選択される、請求項３９に記載の方法。
【請求項４１】  前記植物必須因子がビオチンである、請求項３９に記載の方法。
【請求項４２】  前記植物必須因子が、鉄イオン、チアミン、カルシウムイオン、および亜鉛イオンからなるグループより選択される、請求項３９に記載の方法。
【請求項４３】  前記異種由来タンパク質がビオチン結合タンパク質である、請求項３９に記載の方法。
【請求項４４】  前記異種由来タンパク質が、アビジン、ストレプトアビジン、ならびにビオチンに結合する誘導体およびそれらの修飾体からなるグループより選択される、請求項３９に記載の方法。
【請求項４５】  前記異種由来タンパク質が、鉄結合タンパク質、亜鉛結合タンパク質、カルシウム結合タンパク質、およびチアミン結合タンパク質からなるグループより選択される、請求項３９に記載の方法。
【請求項４６】  前記異種由来タンパク質を前記体細胞の細胞質内に発現させて、前記細胞質内に存在する前記必須因子の前記欠乏を生じさせ、その結果、植物体の生存を維持しつつ、同時に、前記体細胞の退化をもたらす、請求項３９に記載の方法。
【請求項４７】  前記体細胞中のＤＮＡ含有オルガネラ内に前記異種由来タンパク質を発現させることにより、前記ＤＮＡ含有オルガネラ内に存在する前記必須因子の前記欠乏を生じさせて、植物体の生存を維持しつつ、同時に、前記体細胞の退化を生じさせる、請求項３９に記載の方法。
【請求項４８】  前記異種由来タンパク質が、ＤＮＡ含有オルガネラ中に自己を向かわせることのできるリーダーペプチドを含み、前記異種由来タンパク質が前記体細胞の細胞質内に発現すると、前記リーダーペプチドが、前記異種由来タンパク質を前記ＤＮＡ含有オルガネラ中に向かわせて、それによって、前記ＤＮＡ含有オルガネラ内に存在する前記必須因子の前記欠乏を生じさせ、その結果、植物体の生存を維持しつつ、同時に、前記体細胞の退化をもたらす、請求項３９に記載の方法。
【請求項４９】  前記異種由来タンパク質が、前記異種由来タンパク質を小胞体の中に向かわせることのできるシグナルペプチドを含む、請求項３９に記載の方法。
【請求項５０】  植物必須因子に結合する異種由来タンパク質を発現する体細胞性組織を含む植物であり、前記植物必須因子の非結合活性型が、前記体細胞性植物組織で欠乏し、その結果、前記体細胞性植物組織の退化をもたらす植物。
【請求項５１】  植物プロモーター配列を含む第一のポリヌクレオチド分節、植物細胞のＤＮＡ含有オルガネラ中にタンパク質を向かわせるための植物リーダーペプチドをコードする第二のポリヌクレオチド分節、および、植物必須因子に結合することのできる異種由来タンパク質を、前記第二のポリヌクレオチド分節と同じ枠内でコードする第三のポリヌクレオチド分節を、５’から３’方向に含む核酸発現カセット。
【請求項５２】  植物プロモーター配列を含む第一のポリヌクレオチド分節、小胞体中にタンパク質を向かわせるための植物シグナルペプチドをコードする第二のポリヌクレオチド分節、および、植物必須因子に結合することのできる異種由来タンパク質を、前記第二のポリヌクレオチド分節と同じ枠内でコードする第三のポリヌクレオチド分節を、５’から３’方向に含む核酸発現カセット。
【請求項５３】  植物プロモーター配列を含む第一のポリヌクレオチド分節、植物シグナルペプチドをコードする第二のポリヌクレオチド分節、細菌シグナルペプチドをコードする第三のポリヌクレオチド分節、およびビオチン結合タンパク質をコードする第四のポリヌクレオチド分節を５’から３’方向に含む核酸発現カセットであり、前記第二、第三、および第四のポリヌクレオチド分節が同じ枠内にある核酸発現カセット。